(57)【要約】複数のユーザがシミュレーションによるファッションコーディネートの結果を共有できることを支援する。  情報処理装置１は、合成部２と、提案部３とを有している。合成部２は、異なるユーザに関連するファッションアイテム画像が、第１端末１１を利用して選択されたことを示す情報を受けた場合に、それら選択された前記ファッションアイテム画像を合成する機能を備えている。つまり、合成部２は、コーディネート画像を生成する機能を備えている。提案部３は、その生成されたコーディネート画像を、第２ユーザ２０が使用する第２端末２１に提供する機能を備えている。
2012161347.tif 000002
【特許請求の範囲】
【請求項１】
第１ユーザが使用する第１端末を利用して、少なくとも、前記第１ユーザに関連する服飾の画像であるファッションアイテム画像と、第２ユーザに関連する服飾の画像であるファッションアイテム画像とが選択されたことを示す情報を受けた場合に、それら選択された前記ファッションアイテム画像を合成することによって、コーディネート画像を生成する合成手段と、
前記コーディネート画像を、前記第２ユーザが使用する第２端末に提供する提案手段と
を有する情報処理装置。
【請求項２】
前記ファッションアイテム画像を記憶する記憶装置と、
前記第１ユーザに関連する前記ファッションアイテム画像と、前記第２ユーザに関連する前記ファッションアイテム画像とを前記記憶装置から読み出し、当該読み出した前記ファッションアイテム画像を前記第１端末に供給する供給手段と、
前記第１端末を利用して選択された前記ファッションアイテム画像に関する情報を前記第１端末から受け付ける受付手段と
をさらに有する請求項１記載の情報処理装置。
【請求項３】
前記記憶装置に前記ファッションアイテム画像が追加された場合に、前記ファッションアイテム画像が追加されたことを報知する報知手段をさらに有する請求項２記載の情報処理装置。
【請求項４】
ユーザ毎に、ユーザ自身に関連する前記ファッションアイテム画像を利用することを許可する他のユーザに関する許可情報を登録する登録手段と、
前記許可情報に基づいて、前記第２ユーザに関連する前記ファッションアイテム画像を前記第１端末に供給することを許可するか否かを判定する判定手段と
をさらに有し、
前記供給手段は、前記判定手段により供給が許可された場合に、前記第２ユーザに関連する前記ファッションアイテム画像を前記第１端末に供給する請求項２又は請求項３記載の情報処理装置。
【請求項５】
前記ファッションアイテム画像には顔画像の情報が関連付けられており、
前記合成手段は、前記顔画像を基準にして、前記第１ユーザに関連する前記ファッションアイテム画像と、前記第２ユーザに関連する前記ファッションアイテム画像とを合成する請求項１乃至請求項４の何れか一つに記載の情報処理装置。
【請求項６】
第１ユーザが使用する第１端末を利用して、少なくとも、前記第１ユーザに関連する服飾の画像であるファッションアイテム画像と、第２ユーザに関連する服飾の画像であるファッションアイテム画像とが選択されたことを示す情報を受けた場合に、それら選択された前記ファッションアイテム画像を合成することによって、コーディネート画像を生成し、
前記コーディネート画像を、前記第２ユーザが使用する第２端末に提供する情報処理方法。
【請求項７】
第１ユーザが使用する第１端末を利用して、少なくとも、前記第１ユーザに関連する服飾の画像であるファッションアイテム画像と、第２ユーザに関連する服飾の画像であるファッションアイテム画像とが選択されたことを示す情報を受けた場合に、それら選択された前記ファッションアイテム画像を合成することによって、コーディネート画像を生成する処理と、
前記コーディネート画像を、前記第２ユーザが使用する第２端末に提供する処理とをコンピュータに実行させるコンピュータプログラムが格納されているプログラム記憶媒体。
【発明の詳細な説明】
【技術分野】
【０００１】
本発明は、ファッションアイテムを組み合わせて表示する技術に関する。
【背景技術】
【０００２】
特許文献１には、ファッションコーディネートをシミュレーションし、当該シミュレーションによるファッションコーディネートを提示する技術が示されている。すなわち、特許文献１では、ユーザが所持する衣服、靴、アクセサリーおよび小物などのアイテムに、例えば店舗に陳列されるアイテム商品（衣服、靴、アクセサリーおよび小物など）を組み合わせることにより、ファッションコーディネートをシミュレーションする。そして、当該特許文献１では、前記ユーザにそのシミュレーション結果を提示している。
【先行技術文献】
【特許文献】
【０００３】
【特許文献１】特開２００９−９９１４３号公報
【発明の概要】
【発明が解決しようとする課題】
【０００４】
特許文献１に記載されている技術では、ユーザは、シミュレーションによるファッションコーディネートの結果を、他のユーザと共有することができない。
本発明の主な目的は、上記課題を解決する技術を提供することにある。すなわち、本発明の主な目的は、複数のユーザがシミュレーションによるファッションコーディネートの結果を共有できる技術を提供することにある。
【課題を解決するための手段】
【０００５】
上記目的を達成するために、本発明の情報処理装置は、
第１ユーザが使用する第１端末を利用して、少なくとも、前記第１ユーザに関連する服飾の画像であるファッションアイテム画像と、第２ユーザに関連する服飾の画像であるファッションアイテム画像とが選択されたことを示す情報を受けた場合に、それら選択された前記ファッションアイテム画像を合成することによって、コーディネート画像を生成する合成手段と、
前記コーディネート画像を、前記第２ユーザが使用する第２端末に提供する提案手段と
を有する。
また、本発明の情報処理方法は、
第１ユーザが使用する第１端末を利用して、少なくとも、前記第１ユーザに関連する服飾の画像であるファッションアイテム画像と、第２ユーザに関連する服飾の画像であるファッションアイテム画像とが選択されたことを示す情報を受けた場合に、それら選択された前記ファッションアイテム画像を合成することによって、コーディネート画像を生成し、
前記コーディネート画像を、前記第２ユーザが使用する第２端末に提供する。
さらに、本発明のプログラム記憶媒体は、
第１ユーザが使用する第１端末を利用して、少なくとも、前記第１ユーザに関連する服飾の画像であるファッションアイテム画像と、第２ユーザに関連する服飾の画像であるファッションアイテム画像とが選択されたことを示す情報を受けた場合に、それら選択された前記ファッションアイテム画像を合成することによって、コーディネート画像を生成する処理と、
前記コーディネート画像を、前記第２ユーザが使用する第２端末に提供する処理とをコンピュータに実行させるコンピュータプログラムを格納する。
【発明の効果】
【０００６】
本発明によれば、複数のユーザがシミュレーションによるファッションコーディネートの結果を共有できる。
【図面の簡単な説明】
【０００７】
図１は、本発明に係る第１実施形態の情報処理装置の構成を簡略化して示すブロック図である。
図２は、本発明に係る第２実施形態の情報処理装置の構成を簡略化して示すブロック図である。
図３は、本発明に係る第２実施形態におけるサーバの構成を説明するブロック図である。
図４は、第２実施形態における表示画面の一例を示す図である。
図５は、第２実施形態におけるサーバが実行する処理の流れを示すフローチャートである。
図６は、第２実施形態のサーバにおけるハードウェア構成を示す図である。
【発明を実施するための形態】
【０００８】
以下に、本発明に係る実施形態を図面を参照しつつ説明する。
（第１実施形態）
図１は、本発明に係る第１実施形態の情報処理装置の構成を簡略化して示すブロック図である。この第１実施形態の情報処理装置１は、合成部（合成手段）２と、提案部（提案手段）３とを有している。
ここで、第１ユーザ１０が、第１端末１１を利用して、第１ユーザ１０に関連するファッションアイテム画像（服飾の画像）を選択したとする。さらに、第１ユーザ１０が、第１端末１１を利用して、少なくとも、第２ユーザ２０に関連するファッションアイテム画像（服飾の画像）を選択したとする。
合成部２は、異なるユーザに関連するファッションアイテム画像が上記のように選択されたことを示す情報を受けた場合に、それら選択された前記ファッションアイテム画像を合成する機能を備えている。つまり、合成部２は、コーディネート画像を生成する機能を備えている。
提案部３は、その生成されたコーディネート画像を、第２ユーザ２０が使用する第２端末２１に提供する機能を備えている。
例えば、情報処理装置１は、プログラム記憶媒体５を有し、図示しないＣＰＵ（Ｃｅｎｔｒａｌ  Ｐｒｏｃｅｓｓｉｎｇ  Ｕｎｉｔ）がプログラム記憶媒体５に格納されているコンピュータプログラム（プログラム）を実行することによって、上記のような機能を備えることができる。
この第１実施形態の情報処理装置１は、上記のような合成部２と提案部３を備えているので、ファッションアイテム画像を選択したユーザとは異なるユーザにコーディネート画像を提供（提案）することができる。これにより、情報処理装置１は、複数のユーザがシミュレーションによるファッションコーディネートの結果を共有することを支援できる。
（第２実施形態）
以下に、本発明に係る第２実施形態を説明する。
図２は、第２実施形態の情報処理装置１００の構成を示すブロック図である。この第２実施形態の情報処理装置１００は、ユーザがファッションアイテムを身に付けた画像を合成する機能を備えている。また、情報処理装置１００は、第１ユーザ１７１が使用する第１端末１６１、および、第２ユーザ１７２が使用する第２端末１６２と通信可能である。この情報処理装置１００は、制御装置１０５と、記憶装置１１０とを有している。
記憶装置１１０は、各種データやコンピュータプログラム（プログラム）を格納できる記憶媒体を備えた装置である。この第２実施形態では、記憶装置１１０は、第１ユーザ１７１に関連する服飾の画像であるファッションアイテム画像（以下、第１ファッション画像とも記す）１１１を記憶する。さらに、記憶装置１１０は、第２ユーザ１７２に関連する服飾の画像であるファッションアイテム画像（以下、第２ファッション画像とも記す）１１２を記憶する。
制御装置１０５は、例えばＣＰＵ（図示せず）を有する。当該ＣＰＵは、情報処理装置１００に与えられているコンピュータプログラム（プログラム）を実行することにより、情報処理装置１００の全体的な動作を制御する。なお、そのプログラムは、記憶装置１１０を構成しているプログラム記憶媒体に格納されているか、あるいは、記憶装置１１０とは別個の記憶装置のプログラム記憶媒体に格納されている。
すなわち、この第２実施形態では、制御装置１０５は、機能部として、供給部（供給手段）１２０と、受付部（受付手段）１３０と、合成部（合成手段）１４０と、提案部（提案手段）１５０とを有する。
供給部１２０は、記憶装置１１０から第１ファッション画像１１１および第２ファッション画像１１２を読み出し、当該読み出した画像の情報を第１端末１６１に供給（送信）する機能を備えている。
受付部１３０は、第１ファッション画像１１１および第２ファッション画像１１２の中からそれぞれ少なくとも１つのファッションアイテム画像が、第１端末１６１により選択されたことを示す情報を受け付ける機能を備えている。
合成部１４０は、選択された第１ファッション画像および第２ファッション画像を合成することによって、コーディネート画像を生成する機能を備えている。
提案部１５０は、合成部１４０により生成されたコーディネート画像を、第２端末１６２に提案（送信）する機能を備えている。
第２実施形態によれば、第１実施形態と同様に、情報処理装置１００は、複数のユーザ１７１，１７２がシミュレーションによるファッションコーディネートの結果を共有することを支援できる。
（第３実施形態）
以下に、本発明に係る第３実施形態を説明する。
図３は、第３実施形態の情報処理装置であるサーバ２００の構成を説明するブロック図である。
サーバ２００は、ＳＮＳ（Ｓｏｃｉａｌ  Ｎｅｔｗｏｒｋｉｎｇ  Ｓｅｒｖｉｃｅ）サーバ２４０と、ユーザ（第１ユーザ）Ａが使用するユーザ端末（第１端末）２５０と、他のユーザ（第２ユーザ）Ｂ，Ｃ，Ｄ・・・が使用するユーザ端末（第２端末）２６０（２６０Ｂ，２６０Ｃ，２６０Ｄ・・・）とに、ネットワークを介して通信可能となっている。
このサーバ２００は、データベース２２０と、制御装置２３０により実現される各機能部２３１−２３７とを有している。データベース２２０は、ファッションアイテム画像（以下、ファンション画像ともいう）２２１を管理している。ファッション画像２２１とは、服飾の画像である。この第３実施形態では、ファッション画像２２１には、ユーザの顔画像に関連する情報（顔情報）２２２が関連付けられている。なお、服飾とは、衣服、靴、アクセサリー、鞄というような身に付ける物品である。
制御装置２３０は、機能部として、供給部（供給手段）２３１と、受付部（受付手段）２３２と、合成部（合成手段）２３３と、提案部（提案手段）２３４と、登録部（登録手段）２３５と、判定部（判定手段）２３６と、報知部（報知手段）３２７とを有している。
登録部２３５は、ユーザ端末２５０または他のユーザ端末２６０からの指示に基づいて、許可情報を登録する機能を備えている。許可情報とは、ユーザＡ，Ｂ，・・・が、ファッション画像２２１を供給（公開）することを許可する他のユーザに関連する情報である。なお、ユーザとは、自然人に限らず、法人、お気に入りの店舗、お気に入りのコミュニティ等であってもよい。また、登録部２３５は、ＳＮＳサーバ２４０を利用してもよい。
判定部２３６は、ユーザ端末２５０（ユーザＡ）あるいはユーザ端末２６０（ユーザＢ，Ｃ，Ｄ・・・）から、他のユーザのファッション画像２２１を要求する指令（画像要求）を受け取った場合に、登録部２３５による登録情報に基づいて、その指令を受け付けるか否かを判定する機能を備えている。なお、登録部２３５および判定部２３６は、認証技術を利用している。認証技術には様々な技術が提案されており、ここでは、何れの認証技術を利用してもよい。
供給部２３１は、判定部２３６が指令を受け付けると判定した場合に、画像要求に応じて、ファッション画像２２１を送信する機能を備えている。ファッション画像２２１を受け取ったユーザ端末２５０，２６０は、そのファッション画像２２１を画面表示する。
受付部２３２は、互いに異なるユーザに関連付けられているファッション画像２２１が少なくとも１つずつユーザ端末２５０（あるいはユーザ端末２６０）によって選択されたことを示す情報を受け付ける機能を備えている。
合成部２３３は、受付部２３２により受け付けられた情報に基づいて、選択されたファッション画像２２１を合成することによって、コーディネート画像を生成する機能を備えている。具体的には、合成部２３３は、各ファッション画像２２１に関連付けられている顔情報（例えば、顔画像のサイズと、目間距離と、顔の向きの少なくともいずれか一つの情報）２２２を利用して、ファッション画像２２１を合成する。例えば、合成部２３３は、前記選択された各ファッション画像２２１に関連付けられている顔情報２２２に基づいて、そのファッション画像２２１に表示される合成対象のアイテム（衣服や、アクセサリーや、靴や、鞄や、帽子など）の大きさや向き等を推測する。また、合成部２３３は、顔認証技術で利用される画像処理技術を利用して、ユーザの顔画像から、画像の顔の大きさや顔の向きや顔の位置を推測する。そして、合成部２３３は、その顔画像に合うように（フィットするように）、合成対象の上記アイテムのサイズ（肩幅や着丈）や向きを補正し、補正後の各アイテムを上記ユーザの顔画像を含む画像に貼り付ける（合成する）。このようにして、合成部２３３は、コーディネート画像を生成する。
提案部２３４は、合成部２３３により生成されたコーディネート画像を、当該コーディネート画像に利用されたファッション画像２２１に対応する各ユーザ端末２５０，２６０に送信（提案）する機能を備えている。
報知部２３７は、データベース２２０にファッション画像２２１が追加された場合には、ファッション画像２２１が追加されたことをユーザ端末２５０，２６０に報知する機能を備えている。
図４は、ユーザ端末２５０（２６０）における表示画像例を示す図である。すなわち、各表示画面３１０−３４０は、サーバ２００を利用してファッションコーディネートを実行するアプリケーションプログラムを起動した際におけるユーザ端末２５０（２６０）の表示画面である。
表示画面３１０，３４０はユーザＢのユーザ端末２６０Ｂに表示される内容を示す。表示領域３１１は、ユーザＢ（ユーザ端末２６０Ｂのユーザ自身）のファッション画像２２１を表示する領域である。図４の例では、表示領域３１１は、ユーザＢが所有するシャツ、ワンピースなどの３点のファッションアイテムを表示している。表示領域３１２は、他のユーザのファッション画像２２１を表示する領域である。表示領域３１３は、他のユーザから提案されたコーディネート画像を表示する領域である。なお、表示領域３１３には、コーディネート画像だけでなく、コーディネート画像が「ユーザＡさんからの提案」であることを示すメッセージが表示されてもよい。
表示画面３２０，３３０はユーザＡのユーザ端末２５０に表示される内容を示す。表示領域３２１は、ユーザＡ（ユーザ端末２５０のユーザ自身）のファッション画像２２１を表示する領域である。図４の例では、表示領域３２１は、ユーザＡが所有するパンツ、スカートなどの３点のファッションアイテムを表示している。表示領域３２２は、他のユーザ（ユーザＢ）のファッション画像２２１を表示する領域である。
表示領域３２３は、次のようなメッセージや、画像を表示する領域である。例えば、表示領域３２３は、他のユーザ（ユーザＢ）に対してコーディネートを提案するか否かを確認するメッセージを表示する。また、図４に示される表示領域３２３における「ＹＥＳ」が選択されると、表示領域３２３は、他のユーザ（ユーザＢ）のファッション画像２２１の中からコーディネートを行うファッション画像２２１を選択することを促すメッセージを表示する。さらに、表示領域３２３は、サーバ２００の合成部２３３により生成されたコーディネート画像を表示する。
例えば、表示領域３２２に表示されたユーザＢのファッション画像２２１のうち、シャツ（アイテム）が選択されたとする。また、表示領域３２１に表示されたユーザＡのファッション画像２２１のうち、スカート（アイテム）が選択されたとする。この場合には、それら選択されたアイテムがユーザＡの顔画像に貼り付けられた（合成された）コーディネート画像が表示領域３２３に表示される。
また、表示領域３２３は、ユーザＢのユーザ端末２６０Ｂにコーディネート画像を送信するか否か確認するメッセージを表示する。表示領域３２３における「ＹＥＳ」が選択されると、サーバ２００の提案部２３４の機能により、コーディネート画像がユーザＡの提案としてユーザ端末２６０Ｂに送信される。
なお、コーディネート画像の提案は、登録部２３５により登録されていれば、何れのユーザでも行うことができるが、例えば、お気に入りのファッションブランドの店舗従業員から、コーディネートの提案がなされてもよい。
図５は、サーバ２００における処理の流れを示すフローチャートである。なお、図５に示す処理フローは、サーバ２００が実行するプログラムの制御手順（処理手順）を示している。
例えば、ここでは、ユーザＡのユーザ端末２５０が、ＳＮＳサーバ２４０にログインし、ＳＮＳサーバ２４０を介してサーバ２００に接続したとする。これにより、サーバ２００は、ユーザ端末２５０にユーザＡのファッション画像２２１を送信する（ステップＳ４０１）。その後、ユーザ端末２５０からユーザＢのファッション画像２２１を要求する指令（画像要求）が送信されると、サーバ２００は、その画像要求を受けるか否かを判断する（ステップＳ４０２）。サーバ２００は、受け付けないと判断した場合には、その旨のメッセージをユーザ端末２５０に送信する（ステップＳ４０３）。そして、サーバ２００は、操作が終了したか否かを判断し（ステップＳ４０４）、終了していないと判断した場合には、前記ステップ４０２以降の動作を繰り返す。一方、サーバ２００は、終了したと判断した場合には、処理を終了する。
前記ステップＳ４０２で、サーバ２００は、画像要求を受け付けると、判断した場合には、その要求に応じて、ユーザＢのファッション画像２２１をユーザ端末２５０に送信する（ステップＳ４０５）。
その後、サーバ２００は、ユーザ端末２５０により、コーディネートするファッション画像２２１が選択されたか否かを判断する（ステップＳ４０６）。そして、サーバ２００は、選択されていないと判断した場合には、操作が終了したか否かを判断し（ステップＳ４０７）、終了していないと判断した場合には、前記ステップ４０６以降の動作を繰り返す。一方、サーバ２００は、終了したと判断した場合には、処理を終了する。
サーバ２００は、前記ステップＳ４０６において、選択されたと判断した場合には、それら選択されたファッション画像２２１を合成することによって、コーディネート画像を生成する（ステップＳ４０８）。
その後、サーバ２００は、そのコーディネート画像を送信する（ステップＳ４０９）。
図６は、サーバ２００のハードウェア構成を示す図である。サーバ２００は、ＣＰＵ（Ｃｅｎｔｒａｌ  Ｐｒｏｃｅｓｓｉｎｇ  Ｕｎｉｔ）５０１、ＲＯＭ（Ｒｅａｄ  Ｏｎｌｙ  Ｍｅｍｏｒｙ）５０２、通信制御部５０３、ＲＡＭ（Ｒａｎｄｏｍ  Ａｃｃｅｓｓ  Ｍｅｍｏｒｙ）５０４、および記憶装置５０５を備えている。ＣＰＵ５０１は中央処理部であって、様々なプログラムを実行することにより、サーバ２００全体を制御する。ＲＯＭ５０２は、不揮発メモリであり、ＣＰＵ５０１が最初に実行すべきブートプログラムの他、各種のパラメータ等を記憶している。
ＲＡＭ５０４は、ランダムアクセスメモリであり、アプリケーションプログラム（アプリケーション）５５１の実行領域およびアプリケーション５５１が扱うデータの記憶領域を有している。具体的には、ＲＡＭ５０４は、一時的に、合成部２３３で生成されたコーディネート画像５４１と、各ユーザの顔情報５４２とを記憶する。また、ＲＡＭ５０４は、一時的に、各ユーザのファッションアイテム画像５４３と、選択されたファッションアイテム画像５４４とを記憶する。
記憶装置５０５は、各種のデータ、パラメータ、プログラムなどを保存する装置である。バーチャルクローゼット２１０と、アプリケーションプログラム５５１とを記憶する。バーチャルクローゼット２１０は、各ユーザのファッション画像２２１と、各ユーザの顔情報２２２とを格納する。アプリケーションプログラム５５１は、合成プログラム５５２と、顔特徴抽出プログラム５５３と、ＳＮＳサーバ２４０へのアクセス権を供与するアクセス権供与プログラム５５４とを含む。
通信制御部５０３は、他の端末とのネットワークを介した通信を制御する。
この第３実施形態のサーバ（情報処理装置）２００は、第１と第２の実施形態と同様の効果を得ることができる。また、このサーバ２００は、ＳＮＳサーバ２４０を介して上記のようなファッションコーディネートに関するサービスを提供することによって、ＳＮＳ（Ｓｏｃｉａｌ  Ｎｅｔｗｏｒｋｉｎｇ  Ｓｅｒｖｉｃｅ）のサイトにおいて、許可された友人にコーディネート画像を公開することが可能となる。つまり、サーバ２００は、ユーザに対して、より多く友人達とファッションアイテムのコーディネートを楽しむことが可能になるというサービスを提供できる。
（その他の実施形態）
以上、実施形態を参照して本願発明を説明したが、本願発明は上記実施形態に限定されるものではない。本願発明の構成や詳細には、本願発明のスコープ内で当業者が理解し得る様々な変更をすることができる。
また、本発明は、単体の装置に適用されてもよいし、複数の機器から構成される装置に適用されてもよい。さらに、本発明は、実施形態の機能を実現する情報処理プログラムが、システムあるいは装置に直接あるいは遠隔から供給される場合にも適用可能である。したがって、本発明に係る機能をコンピュータで実現するために、コンピュータにインストールされるプログラム、あるいはそのプログラムを格納した媒体、そのプログラムをダウンロードさせるＷＷＷ（Ｗｏｒｌｄ  Ｗｉｄｅ  Ｗｅｂ）サーバも、本発明に含まれる。
なお、この出願は、２０１１年５月２４日に出願された日本出願特願２０１１−１１６３７０を基礎とする優先権を主張し、その開示の全てをここに取り込む。
本発明に係る実施形態は、下記のような形態をも採り得るが、以下には限られない。
（形態１）
第１ユーザおよび第２ユーザのファッションアイテム画像を記憶する記憶手段と、
前記第１ユーザおよび前記第２ユーザの前記ファッションアイテム画像を前記記憶手段より読み出して、前記第１ユーザが使用する第１端末に送信する第１送信手段と、
前記第１ユーザおよび前記第２ユーザの前記ファッションアイテム画像の中からそれぞれ少なくとも１つの前記ファッションアイテム画像が、前記第１端末により選択されたことを受け付ける選択受付手段と、
選択された前記第１ユーザおよび前記第２ユーザの前記ファッションアイテム画像を合成することによりコーディネート画像を生成するコーディネート画像生成手段と、
前記コーディネート画像生成手段により生成された前記コーディネート画像を、前記第２ユーザが使用する第２端末に送信する第２送信手段と、
を備えている情報処理装置。
（形態２）
前記記憶手段は、前記第１ユーザの前記ファッションアイテム画像を、前記第１ユーザの顔画像に関連する第１顔関連情報とともに記憶し、また、前記第２ユーザの前記ファッションアイテム画像を、前記第２ユーザの顔画像に関連する第２顔関連情報とともに記憶し、前記コーディネート画像生成手段は、前記選択された前記第１ユーザおよび第２ユーザの前記ファッションアイテム画像を、前記第１顔関連情報および前記第２顔関連情報に基づいて合成することを特徴とする（形態１）に記載の情報処理装置。
（形態３）
前記第１顔関連情報および前記第２顔関連情報は、前記ユーザの顔画像のサイズ、目間距離、および顔の向きの少なくともいずれか１つを含む（形態２）に記載の情報処理装置。
（形態４）
前記第１端末において選択された前記第２ユーザを前記第１ユーザの友人として登録する友人登録手段をさらに有する（形態１）乃至（形態３）のいずれか１つに記載の情報処理装置。
（形態５）
前記第１ユーザの前記ファッションアイテム画像を、前記第２端末に送信するか否かを前記友人登録手段における登録内容に基づいて判定する判定手段をさらに有する（形態４）に記載の情報処理装置。
（形態６）
前記記憶手段に前記第２ユーザのファッションアイテム画像が追加された場合に、前記ファッションアイテム画像が追加された旨を前記第１端末に報知する報知手段をさらに有する（形態１）乃至（形態５）のいずれか１つに記載の情報処理装置。
（形態７）
第１ユーザおよび第２ユーザのファッションアイテム画像を記憶する記憶手段より、前記第１ユーザおよび前記第２ユーザの前記ファッションアイテム画像を読み出して、前記第１ユーザが使用する第１端末に送信する第１送信ステップと、
前記第１ユーザおよび前記第２ユーザの前記ファッションアイテム画像の中からそれぞれ少なくとも１つの前記ファッションアイテム画像が、前記第１端末により選択されたことを受け付ける選択受付ステップと、
選択された前記第１ユーザおよび前記第２ユーザの前記ファッションアイテム画像を合成することによりコーディネート画像を生成するコーディネート画像生成ステップと、
前記生成された前記コーディネート画像を、前記第２ユーザが使用する第２端末に送信する第２送信ステップと、
を備えている情報処理方法。
（形態８）
第１ユーザおよび第２ユーザのファッションアイテム画像を記憶する記憶手段より、前記第１ユーザおよび前記第２ユーザの前記ファッションアイテム画像を読み出して、前記第１ユーザが使用する第１端末に送信する第１送信ステップと、
前記第１ユーザおよび前記第２ユーザの前記ファッションアイテム画像の中からそれぞれ少なくとも１つの前記ファッションアイテム画像が、前記第１端末により選択されたことを受け付ける選択受付ステップと、
選択された前記第１ユーザおよび前記第２ユーザの前記ファッションアイテム画像を合成することによりコーディネート画像を生成するコーディネート画像生成ステップと、
前記生成された前記コーディネート画像を、前記第２ユーザが使用する第２端末に送信する第２送信ステップと、
をコンピュータに実行させる情報処理プログラム。
【産業上の利用可能性】
【０００９】
本発明は、ファッションに関わる分野、ファッションを含む情報を提供するサービス分野および各種コンピュータプログラムを提供する分野などに有効に適用される。
【符号の説明】
【００１０】
１，１００  情報処理装置
２，１４０，２３３  合成部
３，１５０，２３４  提案部
２３６  判定部
【図１】
2012161347.tif 000003
【図２】
2012161347.tif 000004
【図３】
2012161347.tif 000005
【図４】
2012161347.tif 000006
【図５】
2012161347.tif 000007
【図６】
2012161347.tif 000008
【国際調査報告】
2012161347.tif 000009
2012161347.tif 000010
2012161347.tif 000011
2012161347.tif 000012